(57)【要約】【課題】良品と不良品とを判別するための閾（しきい）値を成形ショット毎に演算して設定することによって、成形機のオペレータが閾値の設定を容易に行うことができるとともに、適切な閾値を使用して、良品と不良品とを判別することができ、不良率を適切な値とすることができ、高い精度で成形品の判別を行うことができるようにする。【解決手段】成形機の成形状態を示す数値を検出する数値検出部と、検出された前記数値に基づき、閾値と不良率との関係を導出する関係導出部と、あらかじめ設定された前記不良率の目標値に対応する閾値を導出された前記関係に従って設定する閾値設定部と、検出された前記数値を設定された前記閾値と比較して、良品と不良品との判別を行う判別部とを有する。【選択図】図１
2006289773.tif 000002
【特許請求の範囲】
【請求項１】
（ａ）成形機の成形状態を示す数値を検出する数値検出部と、
（ｂ）検出された前記数値に基づき、閾値と不良率との関係を導出する関係導出部と、
（ｃ）あらかじめ設定された前記不良率の目標値に対応する閾値を導出された前記関係に従って設定する閾値設定部と、
（ｄ）検出された前記数値を設定された前記閾値と比較して、良品と不良品との判別を行う判別部とを有することを特徴とする成形機監視装置。
【請求項２】
前記関係導出部は前記成形機の成形ショット毎に前記関係を導出する請求項１に記載の成形機監視装置。
【請求項３】
前記関係導出部は前記成形機の所定数の成形ショットにおいて検出された前記数値に基づき、前記関係を導出する請求項１に記載の成形機監視装置。
【請求項４】
（ａ）検出された成形機の成形状態を示す数値に基づき、閾値と不良率との関係を導出し、
（ｂ）あらかじめ設定された前記不良率の目標値に対応する閾値を導出された前記関係に従って設定し、
（ｃ）検出された前記数値を設定された前記閾値と比較して、良品と不良品との判別を行うことを特徴とする成形機監視方法。
【請求項５】
（ａ）成形機の監視のためにコンピュータを、
（ｂ）成形機の成形状態を示す数値を検出する数値検出部、
（ｃ）検出された前記数値に基づき、閾値と不良率との関係を導出する関係導出部、
（ｄ）あらかじめ設定された前記不良率の目標値に対応する閾値を導出された前記関係に従って設定する閾値設定部、及び、
（ｅ）検出された前記数値を設定された前記閾値と比較して、良品と不良品との判別を行う判別部として機能させることを特徴とする成形機監視プログラム。
【発明の詳細な説明】
【技術分野】
【０００１】
本発明は、成形機監視装置、方法及びプログラムに関するものである。
【背景技術】
【０００２】
従来、射出成形機のような成形機においては、加熱シリンダ内においてスクリュを前進させ、加熱され、溶融させられた樹脂を高圧で射出して金型装置のキャビティ内に充填（てん）し、該キャビティ内において樹脂を冷却し、固化させることによって成形品を成形するようになっている。そして、樹脂の充填圧、計量時間等のような成形状態を示す数値の変化に基づいて、成形状態を監視する方法が提案されている（例えば、特許文献１参照。）。
【０００３】
このように、成形状態を示す数値の変化に基づいて成形状態を監視する方法においては、例えば、前記成形状態を示す数値の実績値に基づき、成形された成形品が良品である場合における数値範囲を設定するようになっている。そして、検出された数値が前記数値範囲内にあるときには良品が成形されたものと判断し、検出された数値が前記数値範囲の上限値又は下限値を越えたときには不良品が成形されたものと判断することによって、成形状態を監視するようになっている。
【特許文献１】特開平７−５２２０７号公報
【発明の開示】
【発明が解決しようとする課題】
【０００４】
しかしながら、前記従来の監視方法においては、上限値及び下限値、すなわち、良品と不良品とを判別するために設定された閾（しきい）値が固定されているので、閾値の設定が困難であり、閾値が適切に設定されない場合、不良品が判別される確率としての不良率が不当に高くなったり、逆に、低くなったりしてしまう。また、成形が継続されている間に選択された成形状態を示す数値が変動することがあるが、この場合には不良率が変動し、誤判別が生じてしまう。
【０００５】
本発明は、前記従来の問題点を解決して、良品と不良品とを判別するための閾値を成形ショット毎に演算して設定することによって、成形機のオペレータが閾値の設定を容易に行うことができるとともに、適切な閾値を使用して良品と不良品とを判別することができ、不良率を適切な値とすることができ、高い精度で成形品の判別を行うことができる成形機監視装置、方法及びプログラムを提供することを目的とする。
【課題を解決するための手段】
【０００６】
そのために、本発明の成形機監視装置においては、成形機の成形状態を示す数値を検出する数値検出部と、検出された前記数値に基づき、閾値と不良率との関係を導出する関係導出部と、あらかじめ設定された前記不良率の目標値に対応する閾値を導出された前記関係に従って設定する閾値設定部と、検出された前記数値を設定された前記閾値と比較して、良品と不良品との判別を行う判別部とを有する。
【０００７】
本発明の他の成形機監視装置においては、さらに、前記関係導出部は前記成形機の成形ショット毎に前記関係を導出する。
【０００８】
本発明の更に他の成形機監視装置においては、さらに、前記関係導出部は前記成形機の所定数の成形ショットにおいて検出された前記数値に基づき、前記関係を導出する。
【０００９】
本発明の成形機監視方法においては、検出された成形機の成形状態を示す数値に基づき、閾値と不良率との関係を導出し、あらかじめ設定された前記不良率の目標値に対応する閾値を導出された前記関係に従って設定し、検出された前記数値を設定された前記閾値と比較して、良品と不良品との判別を行う。
【００１０】
本発明の成形機監視プログラムにおいては、成形機の監視のためにコンピュータを、成形機の成形状態を示す数値を検出する数値検出部、検出された前記数値に基づき、閾値と不良率との関係を導出する関係導出部、あらかじめ設定された前記不良率の目標値に対応する閾値を導出された前記関係に従って設定する閾値設定部、及び、検出された前記数値を設定された前記閾値と比較して、良品と不良品との判別を行う判別部として機能させる。
【発明の効果】
【００１１】
本発明によれば、成形機監視装置は、良品と不良品とを判別するための閾値を成形ショット毎に演算して設定するようになっている。そのため、成形機のオペレータが閾値の設定を容易に行うことができるとともに、適切な閾値を使用して良品と不良品とを判別することができ、不良率を適切な値とすることができ、高い精度で成形品の判別を行うことができる。
【発明を実施するための最良の形態】
【００１２】
以下、本発明の実施の形態について図面を参照しながら詳細に説明する。なお、本発明は、各種の成形機に適用することができるものであるが、本実施の形態においては、説明の都合上、射出成形機に適用した場合について説明する。
【００１３】
図１は本発明の実施の形態における射出成形機の概略図である。
【００１４】
図において、１１は射出装置、１２は該射出装置１１と対向させて配設された型締装置、１３は前記射出装置１１及び型締装置１２を支持する成形機フレーム、１４は該成形機フレーム１３によって支持されるとともに、射出装置１１を支持する射出装置フレーム、１５は該射出装置フレーム１４の長手方向に配設されたガイド、７０は固定金型７３及び可動金型７１から成る金型装置である。なお、該金型装置７０にはキャビティが形成されている。
【００１５】
そして、前記射出装置フレーム１４によってボールねじ軸２１が回転自在に支持され、該ボールねじ軸２１の一端がモータ２２に連結される。また、前記ボールねじ軸２１とボールねじナット２３とが螺（ら）合させられ、該ボールねじナット２３と前記射出装置１１とがブラケット２５を介して連結される。したがって、前記モータ２２を正方向及び逆方向に駆動すると、モータ２２の回転運動は、ボールねじ軸２１とボールねじナット２３との組み合わせ、すなわち、ボールねじ伝動装置によって直線運動に変換され、該直線運動が前記ブラケット２５に伝達される。そして、該ブラケット２５が前記ガイド１５に沿って移動させられ、前記射出装置１１が進退させられる。
【００１６】
また、前記ブラケット２５には、前方（図における左方）に向けて加熱シリンダ５１が固定され、該加熱シリンダ５１の前端（図における左端）に射出ノズルが配設される。そして、前記加熱シリンダ５１にホッパ５２が配設されるとともに、加熱シリンダ５１の内部にはスクリュ５３が進退（図における左右方向に移動）自在に、かつ、回転自在に配設され、前記スクリュ５３の後端（図における右端）は支持部材５０によって支持される。
【００１７】
該支持部材５０にはスクリュ回転用モータ５５が取り付けられ、該スクリュ回転用モータ５５を駆動することによって発生させられた回転が、タイミングベルト５６を介して前記スクリュ５３に伝達されるようになっている。また、前記スクリュ回転用モータ５５には第１パルスエンコーダ６２が取り付けられ、前記スクリュ回転用モータ５５の回転軸６１の回転を検出するようになっている。なお、前記支持部材５０にはロードセル５４が取り付けられ、前記スクリュ５３が受ける圧力を検出する。
【００１８】
また、前記射出装置フレーム１４には、スクリュ５３と平行にボールねじ軸５７が回転自在に支持されるとともに、該ボールねじ軸５７と射出用モータ５９とがタイミングベルト５８を介して連結される。そして、前記ボールねじ軸５７の前端は、支持部材５０に固定されたボールねじナット６０と螺合させられる。したがって、前記射出用モータ５９を駆動すると、該射出用モータ５９の回転運動は、ボールねじ軸５７とボールねじナット６０との組み合わせ、すなわち、ボールねじ伝動装置によって直線運動に変換され、該直線運動が支持部材５０に伝達される。また、前記射出用モータ５９には第２パルスエンコーダ６４が取り付けられ、前記射出用モータ５９の回転軸６３の回転を検出するようになっている。
【００１９】
次に、前記構成の射出装置１１の動作の概略について説明する。
【００２０】
まず、計量工程においては、スクリュ回転用モータ５５を駆動し、タイミングベルト５６を介してスクリュ５３を回転させ、該スクリュ５３を所定の位置まで後退（図における右方向に移動）させる。このとき、ホッパ５２から供給された樹脂は、加熱シリンダ５１内において加熱されて、溶融させられ、スクリュ５３の後退に伴ってスクリュ５３の前方に溜（た）められる。
【００２１】
次に、射出工程においては、前記加熱シリンダ５１の射出ノズルを固定金型７３に押し付け、前記射出用モータ５９を駆動し、タイミングベルト５８を介してボールねじ軸５７を回転させる。このとき、支持部材５０は前記ボールねじ軸５７の回転に伴って移動させられ、前記スクリュ５３を前進（図における左方向に移動）させるので、スクリュ５３の前方に溜められた樹脂は前記射出ノズルから射出され、固定金型７３内に形成された樹脂流路を通って、固定金型７３と可動金型７１との間に形成されたキャビティに充填される。
【００２２】
次に、前記型締装置１２について説明する。
【００２３】
該型締装置１２は、固定プラテン７４、トグルサポート７６、前記固定プラテン７４とトグルサポート７６との間に架設されたタイバー７５、前記固定プラテン７４と対向して配設され、前記タイバー７５に沿って進退自在に配設された可動プラテン７２、及び、該可動プラテン７２と前記トグルサポート７６との間に配設されたトグル機構を備える。そして、前記固定プラテン７４及び可動プラテン７２に互いに対向させて、前記固定金型７３及び可動金型７１がそれぞれ取り付けられる。
【００２４】
前記トグル機構は、型締用モータ７８によってクロスヘッド８０をトグルサポート７６と可動プラテン７２との間で進退させることにより、前記可動プラテン７２をタイバー７５に沿って進退させ、可動金型７１を固定金型７３に対して接離させて、型閉、型締、及び、型開を行うようになっている。
【００２５】
そのため、前記トグル機構は、前記クロスヘッド８０に対して揺動自在に支持された第１トグルレバー、前記トグルサポート７６に対して揺動自在に支持された第２トグルレバー、及び、前記可動プラテン７２に対して揺動自在に支持されたトグルアーム７７から成り、前記第１トグルレバーと第２トグルレバーとの間、及び、前記第２トグルレバーとトグルアーム７７との間がそれぞれリンク結合される。
【００２６】
また、ボールねじ軸７９が前記トグルサポート７６に対して回転自在に支持され、前記ボールねじ軸７９と、前記クロスヘッド８０に固定されたボールねじナット８１とが螺合させられる。そして、前記ボールねじ軸７９を回転させるために、該ボールねじ軸７９のボールねじナット８１と反対側の端部にプーリ８２とが取り付けられ、該プーリ８２は、タイミングベルト８４を介して、型締用モータ７８によって回転させられる。また、該型締用モータ７８には第３パルスエンコーダ８５が取り付けられ、前記型締用モータ７８の回転軸８３の回転を検出するようになっている。
【００２７】
したがって、前記型締用モータ７８を駆動すると、該型締用モータ７８の回転運動が、タイミングベルト８４を介して前記ボールねじ軸７９に伝達され、該ボールねじ軸７９とボールねじナット８１との組み合わせ、すなわち、ボールねじ伝動装置によって直線運動に変換され、該直線運動がクロスヘッド８０に伝達され、該クロスヘッド８０が進退させられる。そして、該クロスヘッド８０を前進 (図における右方向に移動）させると、トグル機構が伸展して可動プラテン７２が前進させられ、型閉及び型締が行われ、前記クロスヘッド８０を後退 (図における左方向に移動）させると、トグル機構が屈曲して可動プラテン７２が後退させられ、型開が行われる。
【００２８】
また、前記可動プラテン７２の背面にはエジェクタ装置が配設され、該エジェクタ装置は、前記可動金型７１を貫通して延び、前端 (図における右端）をキャビティに臨ませる図示されないエジェクタピン、該エジェクタピンの後方 (図における左方向) に配設された図示されないエジェクタロッド、該エジェクタロッドの後方に配設され、図示されないサーボモータによって回転させられるボールねじ軸及び該ボールねじ軸と螺合させられるボールねじナットとを有する。
【００２９】
したがって、前記サーボモータを駆動すると、該サーボモータの回転運動が、ボールねじ軸とボールねじナットとの組み合わせ、すなわち、ボールねじ伝動装置によって直線運動に変換され、該直線運動が前記エジェクタロッドに伝達され、該エジェクタロッド及びエジェクタピンが進退させられる。
【００３０】
なお、前記射出成形機は、型締用モータ７８、スクリュ回転用モータ５５及び射出用モータ５９の動作を制御する制御部１７を有する。該制御部１７は、ＣＰＵ、ＭＰＵ等の演算手段、磁気ディスク、半導体メモリ等の記憶手段、入出力インターフェイス等を備える一種のコンピュータであり、前記型締用モータ７８、スクリュ回転用モータ５５及び射出用モータ５９だけでなく、前記射出成形機のすべての動作を制御する。また、前記制御部１７は、ロードセル５４、第１パルスエンコーダ６２、第２パルスエンコーダ６４、第３パルスエンコーダ８５等の出力信号を受信して、スクリュ５３が受ける圧力、スクリュ回転用モータ５５の回転軸６１の回転、射出用モータ５９の回転軸６３の回転、型締用モータ７８の回転軸８３の回転等だけでなく、射出成形機における成形状態を示す各種の数値を検出する。
【００３１】
そして、前記制御部１７には、管理装置１８が接続されている。該管理装置１８は、ＣＰＵ、ＭＰＵ等の演算手段、磁気ディスク、半導体メモリ等の記憶手段、入出力インターフェイス、キーボード、ジョイスティック、タッチパネル等を備える入力部、ＣＲＴ、液晶ディスプレイ、ＬＥＤ（Ｌｉｇｈｔ  Ｅｍｉｔｔｉｎｇ  Ｄｉｏｄｅ）ディスプレイ等を備える表示部等を備える一種のコンピュータであり、例えば、パーソナルコンピュータ、サーバ、ワークステーション等であるが、いかなる装置であってもよい。
【００３２】
本実施の形態において、前記制御部１７及び管理装置１８は、射出成形機を監視するための成形機監視装置として機能する。この場合、機能の観点から、成形機監視装置としての制御部１７及び管理装置１８は、射出成形機の成形状態を示す数値を検出する数値検出部、該数値検出部によって検出された数値に基づき、閾値と不良率との関係を導出する関係導出部、あらかじめ設定された不良率の目標値に対応する閾値を、前記関係導出部によって導出された関係に従って設定する閾値設定部、及び、検出された数値を設定された閾値と比較して良品と不良品との判別を行う判別部を有する。
【００３３】
そして、前記管理装置１８は、成形状態を示す数値の変化に基づいて射出成形機の成形状態を監視し、検出された数値が設定された閾値としての閾値幅内にあるときは、成形された成形品が良品であると判断し、検出された数値が閾値幅内にないとき、すなわち、閾値を超えたときは、成形された成形品が不良品であると判断する。
【００３４】
なお、成形品が不良であると管理装置１８が判断した場合には、図示されない成形品取り出し装置等によって、当該成形品を良品であると判断された成形品とは相違する場所に移送することが望ましい。また、オペレータは、前記入力部を操作して、良品と不良品とを判別するための閾値を設定する。そして、前記管理装置１８は、閾値を成形ショット毎に演算して設定し、設定された閾値に基づいて良品と不良品とを判別する。
【００３５】
次に、前記構成の成形機監視装置の動作について説明する。
【００３６】
図２は本発明の実施の形態における成形状態を示す数値の実績値を示す図、図３は本発明の実施の形態における不良率と数値の実績値の閾値幅との関係を示すグラフ、図４は本発明の実施の形態における成形機監視装置の動作を示すフローチャートである。なお、図２において縦軸には実績値を、横軸にはショット数を採ってあり、図３において縦軸には不良率を、横軸には閾値幅を採ってある。
【００３７】
まず、オペレータは、管理装置１８の入力部を操作して各種項目の入力を行う。この場合、入力される項目は、演算ショット数、中心値、閾値幅、目標判別率等である。ここで、前記演算ショット数は、管理装置１８が閾値の演算を開始する成形ショットの数であり、例えば、１００であるが、任意に設定することができる。
【００３８】
また、前記中心値は、射出成形機の成形状態を示す数値の中心値であり、例えば、前記数値の算術平均値、メディアン（中央値）等である。なお、成形状態を示す数値は、例えば、樹脂の充填ピーク圧、樹脂の計量時間、保圧完了位置、最小クッション位置等であるが、いかなる種類の数値であってもよい。そして、これら数値のうちの一種類又は複数種類の数値を成形状態を示す数値として使用することができる。また、多数種類の数値に基づき、マハラノビス距離（Ｍａｈａｒａｎｏｂｉｓ  Ｄｉｓｔａｎｃｅ）を利用した多変量解析を行うこともできる。ここでは、８種類の数値に基づいて多変量解析を行って算出された無次元数を、前記成形状態を示す数値として使用するものとして説明する。
【００３９】
さらに、前記閾値幅は、前記中心値を中心として設定される、前記数値の閾値としての下限値から上限値までの数値範囲の幅であり、検出された数値が前記閾値幅内にあるとき、すなわち、前記下限値から上限値までの間にあるときは、成形された成形品が良品であると判断され、検出された数値が閾値幅内にないとき、すなわち、前記下限値又は上限値を超えたときは、成形された成形品が不良品であると判断される。また、前記目標判別率は、不良品が判別される確率としての不良率の目標値であり、例えば、２〔％〕であるが、任意に設定することができる。
【００４０】
そして、各種項目の入力が終了して、射出成形機による成形が開始されると、前記管理装置１８は、前記射出成形機によって行われた成形ショットの数、すなわち、ショット数が演算ショット数以下であるか否かを判断する。そして、ショット数が演算ショット数以下である場合、前記管理装置１８は複数の閾値での判別処理を行い、成形された成形品が良品であるか否かを判断する。すなわち、あらかじめ設定された複数の閾値幅に基づき、検出された数値が閾値幅内にあるときは成形された成形品が良品であると判断し、検出された数値が閾値幅内にないときは成形された成形品が不良品であると判断する。なお、前記複数の閾値幅は、例えば、図２に示されるように、中心値を中心として設定された（１）〜（５）の五つの閾値幅である。この場合、（１）の閾値幅が最も狭く、（）内の数値が増加するとともに閾値幅が増大し、（５）の閾値幅が最も広くなっている。なお、図２において、閾値幅（５）は、スペースの都合上、上側半分だけが表示され、下側半分は省略されている。
【００４１】
図２は本実施の形態における成形状態を示す数値の実績値を示すものであるが、前記成形状態を示す数値は、図２から成形ショット毎に変動することが分かる。そして、（）内の数値が小さく閾値幅が狭いほど、前記成形状態を示す数値が閾値幅内にないケースが多くなり、すなわち、不良品と判断されるケースが多くなり、逆に、（）内の数値が大きく閾値幅が広いほど、前記成形状態を示す数値が閾値幅内にないケースが少なくなる、すなわち、不良品と判断されるケースが少なくなることが分かる。そして、前記管理装置１８は、判別結果を記憶手段に格納し、再び、ショット数が演算ショット数以下であるか否かを判断する。なお、判別結果は、閾値幅に対応して格納される。
【００４２】
続いて、前記管理装置１８は各閾値での判別率を計算する。すなわち、記憶手段に格納された判別結果に基づき、各閾値幅に対応した不良率を計算する。なお、ショット数が演算ショット数以下であるか否かを判断して、ショット数が演算ショット数以下でない場合、すなわち、成形ショットの数がオペレータによって入力された演算ショット数を超えた場合、前記管理装置１８は、複数の閾値での判別処理を行うことなく、各閾値での判別率を計算する。
【００４３】
続いて、前記管理装置１８は、各閾値での判別率に基づき、判別率の式を演算する。すなわち、図３に示されるような曲線Ａを示す式を演算することによって、閾値と不良率との関係を導出する。前記曲線Ａは、設定された（１）〜（５）の五つの閾値幅と、（１）〜（５）の各閾値幅に対応した不良率との関係、すなわち、閾値と不良率との関係を示す曲線である。前記曲線Ａから、閾値幅を狭くするほど不良率が高くなり、閾値幅を広く設定するほど不良率が低くなることが分かる。
【００４４】
続いて、前記管理装置１８は、あらかじめ設定された不良率の目標値に対応する閾値を導出された閾値と不良率との関係に従って設定する、すなわち、上下限幅を演算する。より具体的には、図３に示されるような曲線Ａから、オペレータによって入力された目標判別率を得ることができる閾値幅としての上下限幅を演算する。例えば、目標判別率としての不良率の目標値が２〔％〕である場合、２〔％〕の不良率に該当する曲線Ａ上の点が示す閾値幅の値を上下限幅として演算する。これにより、設定された中心値を中心とした閾値の上限値及び下限値を算出することができる。そして、前記管理装置１８は、前記閾値の上限値及び下限値を出力して処理を終了する。
【００４５】
これにより、成形ショット毎に、成形品を良品又は不良品であると判別するための閾値としての上限値及び下限値を得ることができ、前記管理装置１８は、検出された成形状態を示す数値を、設定された前記閾値と比較して良品と不良品との判別を行う。そして、検出された成形状態を示す数値が前記閾値の上限値と下限値との間にあるときは、良品であると判断し、前記数値が前記閾値の上限値又は下限値を超えたときには、不良品であると判断する。これにより、成形が継続されている間に成形状態を示す数値が変動した場合であっても、不良率が変動することがなく、誤判別の発生を防止することができる。そのため、不良品が判別される確率としての不良率は、入力された目標値となり、適正な値となる。
【００４６】
また、直近の過去における所定数、例えば、１００ショットの成形ショットに基づく閾値の上限値及び下限値を使用して、良品と不良品とを判別することができる。さらに、前述の処理を射出成形機が成形を開始してからの所定数のショット、例えば、射出成形機がエラーで停止した後に運転を再開してからの１００ショット、金型装置を交換した後に運転を再開してからの１００ショット等についてのみ行うことによって、閾値の上限値及び下限値を出力することもできる。
【００４７】
次に、フローチャートについて説明する。
ステップＳ１  オペレーターは、管理装置１８を操作して各種項目の入力を行う。
ステップＳ２  管理装置１８は、ショット数が演算ショット数以下であるか否かを判断する。ショット数が演算ショット数以下である場合は、ステップＳ３に進み、ショット数が演算ショット数以下でない場合は、ステップＳ５に進む。
ステップＳ３  管理装置１８は、複数の閾値で判別処理を行う。
ステップＳ４  管理装置１８は、判別結果を記憶手段に格納する。
ステップＳ５  管理装置１８は、各閾値での判別率を計算する。
ステップＳ６  管理装置１８は、判別率の式を演算する。
ステップＳ７  管理装置１８は、上下限幅を演算する。
ステップＳ８  管理装置１８は、閾値の上限値及び下限値を出力して処理を終了する。
【００４８】
このように、本実施の形態においては、射出成形機の成形状態を示す数値を検出し、検出された前記数値に基づき、閾値幅と不良率との関係を導出し、該関係に従って所望の不良率に対応する閾値を設定し、設定された閾値を使用して良品と不良品とを判別するようになっている。そのため、良品と不良品とを判別するための閾値としての閾値幅を成形ショット毎に演算して設定することができるので、成形が継続されている間に成形状態を示す数値が変動した場合であっても、不良率が変動することがなく、誤判別の発生を防止することができる。
【００４９】
また、射出成形機のオペレータは、演算ショット数、中心値、閾値幅、目標判別率等を入力するだけで、良品と不良品とを判別する閾値の設定を容易に行うことができる。
【００５０】
さらに、適切な閾値を使用して良品と不良品とを判別することができるので、不良品が判別される確率としての不良率を適切な値とすることができる。すなわち、検出された数値に基づいて判別された不良率が高くなると閾値幅が広くなるように設定し、逆に、検出された数値に基づいて判別された不良率が低くなると閾値幅が狭くなるように設定するので、不良率の目標値としての目標判別率を維持することができる。そのため、射出成形機の生産性を低下させることなく、高い精度で成形品の判別を行うことができる。
【００５１】
なお、本発明は前記実施の形態に限定されるものではなく、本発明の趣旨に基づいて種々変形させることが可能であり、それらを本発明の範囲から排除するものではない。
【図面の簡単な説明】
【００５２】
【図１】本発明の実施の形態における射出成形機の概略図である。
【図２】本発明の実施の形態における成形状態を示す数値の実績値を示す図である。
【図３】本発明の実施の形態における不良率と数値の実績値の閾値幅との関係を示すグラフである。
【図４】本発明の実施の形態における成形機監視装置の動作を示すフローチャートである。
【符号の説明】
【００５３】
１７    制御部
１８    管理装置
【図１】
2006289773.tif 000003
【図２】
2006289773.tif 000004
【図３】
2006289773.tif 000005
【図４】
2006289773.tif 000006